(57)【特許請求の範囲】
【請求項１】
リールが装着されるリール装着部と、竿尻に位置するギンバルとを備え、
該ギンバルは、釣竿の竿尻を支持するための竿尻支持部材の横セレーションと係合可能な横セレーションを後端面に有しており、
ギンバルの横セレーションは、径方向に延びる歯部が中心から放射線状に形成されたものであり、歯部の山部は中心から径方向外側に向けて徐々にその高さが高くなっており、
ギンバルの横セレーションは、リールが真上又は真下を向く基準位置に対して軸線回りに４５度以下で傾斜した傾斜位置において、竿尻支持部材の横セレーションと係合して釣竿の軸線回りの両方向の回転を阻止することを特徴とする釣竿。
【請求項２】
ギンバルの横セレーションは、前記基準位置と前記傾斜位置のそれぞれの位置において、竿尻支持部材の横セレーションと係合して釣竿の軸線回りの両方向の回転を阻止する請求項１記載の釣竿。
【請求項３】
ギンバルの横セレーションは、前記基準位置と、前記基準位置から釣竿の軸線回りの一方側に４５度以下で傾斜した第一の傾斜位置と、前記基準位置から釣竿の軸線回りの他方側に４５度以下で傾斜した第二の傾斜位置のそれぞれの位置において、竿尻支持部材の横セレーションと係合して釣竿の軸線回りの両方向の回転を阻止する請求項２記載の釣竿。
【請求項４】
ギンバルの横セレーションは、前記基準位置から釣竿の軸線回りの一方側に４５度以下で傾斜した第一の傾斜位置と、前記基準位置から釣竿の軸線回りの他方側に４５度以下で傾斜した第二の傾斜位置のそれぞれの位置において、竿尻支持部材の横セレーションと係合して釣竿の軸線回りの両方向の回転を阻止する請求項１記載の釣竿。
【請求項５】
リールが装着される釣竿の竿尻に取り付けられ、釣竿の竿尻を支持するための竿尻支持部材の横セレーションと係合可能な横セレーションを後端面に有する釣竿用ギンバルであって、
ギンバルの横セレーションは、径方向に延びる歯部が中心から放射線状に形成されたものであり、歯部の山部は中心から径方向外側に向けて徐々にその高さが高くなっており、
ギンバルの横セレーションは、リールが真上又は真下を向く基準位置に対して軸線回りに４５度以下で傾斜した傾斜位置において、竿尻支持部材の横セレーションと係合して釣竿の軸線回りの両方向の回転を阻止することを特徴とする釣竿用ギンバル。
【発明の詳細な説明】
【技術分野】
【０００１】
本発明は、竿尻にギンバルを備えた釣竿とそのギンバルに関する。
【背景技術】
【０００２】
主として大物釣り用の釣竿には、その竿尻にギンバルが装着されている。該ギンバルには十字状の溝が形成されており、例えば腰に装着するファイティングベルトや腹当て等の竿尻支持部材には、釣竿のギンバルの溝に係合する係合ピンが備えられている。そして、大物が掛かった時には、釣竿の竿尻を例えばファイティングベルトで支持すると共に、その係合ピンにギンバルの溝を係合させて釣竿の軸線回りの回転を防止する。このように釣竿の竿尻をファイティングベルト等の竿尻支持部材で支持すると共に釣竿の回転を防止できると、釣り人は、釣竿をしっかりと把持してリールのハンドルを巻くことができ、リールを力強く巻いて魚を引き寄せることができる。
【０００３】
ところで、このような大物釣りには例えば両軸リールが用いられるが、該両軸リールは釣竿の上側に位置するように釣竿に装着される。そして、ギンバルには十字状の溝が形成されていることから、竿尻支持部材の係合ピンにギンバルの溝を係合させると、両軸リールは真上を向いた状態となる。
【０００４】
ところが、本発明者らが種々テストを行ったところ、大物釣りにおいては、魚種や釣り場の状況、あるいは、釣り人の体系等によっては、両軸リールが真上を向いている状態よりも、釣り人側から見て左側に傾斜した状態や、逆に右側に傾斜した状態となっている方が、リールのハンドルを巻きやすいということが判明した。
【０００５】
尚、ギンバルの溝は上下左右の十字状であるため、釣竿を通常の使用状態から右方向あるいは左方向に９０度回転させた状態でもギンバルの溝に係合ピンを係合させて釣竿をその角度に固定することができる。しかしながら、その状態では両軸リールが真横を向くことになるので、事実上釣りを行うことはできない。尚、スピニングリールを使用する場合には、釣竿の真下にスピニングリールが位置することになる。
【０００６】
何れにしても、従来のギンバルやそれに対応したファイティングベルト等の竿尻支持部材は、両軸リールは真上に位置するもの、スピニングリールは真下に位置するものという固定概念に基づいて設計されたものであった。
【先行技術文献】
【特許文献】
【０００７】
【特許文献１】特開平１１−１５５４２６号公報
【特許文献２】実公平１−３１０１９号公報
【特許文献３】実開平２−１１３９６７号公報
【特許文献４】実公昭６１−２３３４１号公報
【発明の概要】
【発明が解決しようとする課題】
【０００８】
それゆえに本発明は上記従来の問題点に鑑みてなされ、ギンバルを使用した大物釣りにおいてリールのハンドルの巻きやすさを向上することができる釣竿及び釣竿用ギンバルを提供することを課題とする。
【課題を解決するための手段】
【０００９】
本発明は上記課題を解決すべくなされたものであって、本発明に係る釣竿は、リールが装着されるリール装着部と、竿尻に位置するギンバルとを備え、該ギンバルは、釣竿の竿尻を支持するための竿尻支持部材の横セレーションと係合可能な横セレーションを後端面に有しており、ギンバルの横セレーションは、径方向に延びる歯部が中心から放射線状に形成されたものであり、歯部の山部は中心から径方向外側に向けて徐々にその高さが高くなっており、ギンバルの横セレーションは、リールが真上又は真下を向く基準位置に対して軸線回りに４５度以下で傾斜した傾斜位置において、竿尻支持部材の横セレーションと係合して釣竿の軸線回りの両方向の回転を阻止することを特徴とする。
【００１０】
該構成の釣竿にあっては、ギンバルの横セレーションが釣竿を傾斜位置に係止できるように構成されているので、竿尻支持部材の横セレーションに釣竿のギンバルの横セレーションを係合させることで、リールが傾斜した状態で釣竿を固定することができる。従って、魚種や釣り場の状況、あるいは、釣り人の体系等に合わせてこの釣竿を選択することにより、リールのハンドルが真横を向いた状態に比して、より一層力強くハンドルを巻くことができる。
【００１１】
特に、ギンバルの横セレーションは、前記基準位置と前記傾斜位置のそれぞれの位置において、竿尻支持部材の横セレーションと係合して釣竿の軸線回りの両方向の回転を阻止することが好ましく、魚種や釣り場の状況に応じて釣竿を基準位置に固定したり、あるいは、傾斜位置に固定したりすることができる。
【００１２】
その場合更に、ギンバルの横セレーションは、前記基準位置と、前記基準位置から釣竿の軸線回りの一方側に４５度以下で傾斜した第一の傾斜位置と、前記基準位置から釣竿の軸線回りの他方側に４５度以下で傾斜した第二の傾斜位置のそれぞれの位置において、竿尻支持部材の横セレーションと係合して釣竿の軸線回りの両方向の回転を阻止することが好ましく、基準位置に対して左右両側に傾斜した第一及び第二の傾斜位置にそれぞれ釣竿を固定できると、より一層状況への対応力が増す。
【００１３】
また、ギンバルの横セレーションは、前記基準位置から釣竿の軸線回りの一方側に４５度以下で傾斜した第一の傾斜位置と、前記基準位置から釣竿の軸線回りの他方側に４５度以下で傾斜した第二の傾斜位置のそれぞれの位置において、竿尻支持部材の横セレーションと係合して釣竿の軸線回りの両方向の回転を阻止することも好ましい。
【００１４】
また、竿側係止部が横セレーションであるので、釣竿の角度を種々調整することができる。横セレーションであると、係止状態を解除する際にも、釣竿を前側（穂先側）に大きく移動させる必要がなく、容易に係止状態を解除して釣竿の角度を変更することができる。
【００１５】
また本発明に係る釣竿用ギンバルは、リールが装着される釣竿の竿尻に取り付けられ、釣竿の竿尻を支持するための竿尻支持部材の横セレーションと係合可能な横セレーションを後端面に有する釣竿用ギンバルであって、ギンバルの横セレーションは、径方向に延びる歯部が中心から放射線状に形成されたものであり、歯部の山部は中心から径方向外側に向けて徐々にその高さが高くなっており、ギンバルの横セレーションは、リールが真上又は真下を向く基準位置に対して軸線回りに４５度以下で傾斜した傾斜位置において、竿尻支持部材の横セレーションと係合して釣竿の軸線回りの両方向の回転を阻止することを特徴とする。
【発明の効果】
【００１８】
以上のように、リールが真上あるいは真下を向いた状態ではなくそこから所定角度傾斜した傾斜位置に釣竿を係止できるので、魚種等に対応して釣竿を傾斜位置に係止することにより、リールのハンドルを力強く巻くことができる。
【図面の簡単な説明】
【００１９】
【図１】本発明の一実施形態における釣竿の要部を示す正面図。
【図２】同釣竿のギンバルを示し、（ａ）は端面の正面図、（ｂ）は要部斜視図。
【図３】同釣竿を係止するための竿尻支持部材の要部を示す正面図。
【図４】同釣竿を竿尻支持部材に連結する際の状態を示す要部断面図。
【図５】本発明の他の実施形態における竿尻支持部材を示し、（ａ）はアタッチメントを取り付ける際の状態を示す要部断面図、（ｂ）は取付後の状態を示す要部断面図。
【図６】（ａ）は本発明の他の実施形態における釣竿用ギンバルの断面図、（ｂ）は同ギンバルを係止するための竿尻支持部材の断面図。
【図７】同実施形態における釣竿用ギンバルを竿尻支持部材に連結させたときの状態を示す断面図であって、（ａ）は釣竿が基準位置にあるときの状態を示し、（ｂ）は釣竿が傾斜位置にあるときの状態を示す。
【図８】本発明の他の実施形態における釣竿用ギンバルを竿尻支持部材に連結させたときの状態を示す断面図であって釣竿が基準位置にあるときの状態を示す。
【図９】同実施形態における釣竿用ギンバルを竿尻支持部材に連結させたときの状態を示す断面図であって、（ａ）は釣竿が第一の傾斜位置にあるときの状態を示し、（ｂ）は釣竿が第二の傾斜位置にあるときの状態を示す。
【発明を実施するための形態】
【００２０】
以下、本発明の一実施形態に係るギンバルを備えた釣竿１と、該釣竿１の竿尻を支持して釣竿１の軸線回りの回転を防止するための竿尻支持部材２について、図１〜図４を参酌しつつ説明する。図１に釣竿１の軸線を符号８で示している。図１に本実施形態における釣竿１の竿尻部分を示している。釣竿１は、図示しないリール装着部としてのリールシートを備えていると共に、その竿尻には釣竿１を所定の角度に係止してその軸線回りの回転を防止するためのギンバル３を備えており、また、該ギンバル３の前側には、例えばロッドホルダーにより狭持される筒状の外装部材４を備えている。該外装部材４は例えば金属製や硬質樹脂製である。図３に釣竿１の竿尻部分の断面を示しているように、ギンバル３と外装部材４はブランク５の外側に外装されて接着固定されている。また、図１に二点鎖線で示しているように、ギンバル３の外側には、ゴムやＥＶＡ等からなる腹当て６が着脱自在に装着されており、ギンバル３を使用しない状態ではギンバル３に腹当て６を被せておき、ギンバル３を使用する際には腹当て６を外してギンバル３を露出させる。
【００２１】
ギンバル３は、金属製あるいはＡＢＳ樹脂等の硬質樹脂からなり、全体として前端開口後端閉塞の筒状に形成されており、その前側の開口部からブランク５が挿入されて接着固定されている。ギンバル３の前部の外径は後部の外径よりも一段小径となっており、一段小径となった前部の外側に外装部材４の後部が外嵌されている。
【００２２】
ギンバル３は、釣竿１が軸線回りに回転することを防止するための回り止め用の竿側係止部を備えている。具体的には、図２のように、ギンバル３の後端面に、竿側係止部としての横セレーション７が形成されている。該横セレーション７は、径方向に延びる多数の歯部が放射線状に形成されたものであり、歯部は、釣竿１の軸線を中心として、一定角度毎に全周に亘って形成されている。歯部は、径方向に延びる三角形状の山部と谷部とが周方向に交互に並んで構成されており、山部は中心から径方向外側に向けて徐々にその高さが高くなっている。歯部は、一周、３６０度を等分割しており、その分割数は任意であるが、例えば、山部と谷部をそれぞれ３６個ずつ１０度毎に形成すると、釣竿１の軸線回りの角度を１０度毎に調整することができる。
【００２３】
かかる釣竿１のギンバル３を支持するための竿尻支持部材２の一例を図３に示している。該竿尻支持部材２は、釣竿１の竿尻に装着して腹当ての一種として使用するものであって、腹に当てられる略水平方向の軸線２０を有する横軸部１０と、該横軸部１０の中央部から前側に略直角に所定長さ突出するホルダー部１１とから、全体としてＴ字状に形成されている。竿尻支持部材２は、ギンバル３と同様に金属製あるいは硬質樹脂製である。ホルダー部１１は前後方向の軸線２１を有していて、前側に開口する竿挿入孔１２を有する有底筒状となっており、その竿挿入孔１２に釣竿１の竿尻が挿入される。竿挿入孔１２の底には、ギンバル３の横セレーション７と係合する支持側係止部としての横セレーション１３が形成されている。該竿尻支持部材２の横セレーション１３はギンバル３の横セレーション７に対応したものであって本実施形態では１０度刻みの形状となっている。
【００２４】
従って、図４のように竿尻支持部材２の竿挿入孔１２に釣竿１の竿尻を挿入すると、ギンバル３の後端面の横セレーション７が竿尻支持部材２の横セレーション１３と係合して、釣竿１の軸線回りの回転が防止されることになり、釣竿１は所定の角度位置に固定されることになる。ギンバル３の横セレーション７及び竿尻支持部材２の横セレーション１３は、釣竿１に装着された例えば両軸リールが真上を向く基準位置に釣竿１を固定することができるように、その歯部の位相が設定されている。その基準位置に対して、１０度毎に左方向あるいは右方向に釣竿１を軸線回りに回転させた各傾斜位置にも釣竿１を係止することができる。
【００２５】
例えば、両軸リールの右側のハンドルは基準位置では真横に位置しているが、釣り人側から見て基準位置から左側に釣竿１を１０度回転させて係止すると、左側に１０度傾斜した傾斜位置となり、両軸リールの右側のハンドルは若干上側に傾斜した状態となる。逆に釣り人側から見て基準位置から右側に釣竿１を１０度回転させて係止すると、右側に１０度傾斜した傾斜位置となり、両軸リールの右側のハンドルは若干下側に傾斜した状態となる。従って、魚種や釣り場の状況、釣り人の好み等に応じて釣竿１を基準位置に係止したり、左側あるいは右側に傾斜した傾斜位置に係止したりして釣りを行うことができ、両軸リールのハンドルをより一層力強く巻くことができる。
【００２６】
特に、横セレーション７，１３のピッチが１０度であるので、状況等に応じて細かな角度調整を行うことができる。即ち、４５度以下の傾斜状態でも、１０度傾斜、２０度傾斜、３０度傾斜、４０度傾斜というように、合計四つの異なる傾斜状態にセットでき、また左右それぞれにセットできる。このように、４５度以下の傾斜状態において複数の傾斜位置にセットできれば、状況等により一層容易に対応できる。また、横セレーション７，１３のピッチを１０度ピッチではなく例えば２０度ピッチとすれば、２０度傾斜、４０度傾斜という左右それぞれ二つの傾斜状態にセットできる。１５度ピッチであれば、１５度傾斜、３０度傾斜、４５度傾斜という左右それぞれ三つの傾斜状態にセットできる。
【００２７】
また、釣竿１の軸線回りの回転が防止されている一方で、竿尻支持部材２は横軸部１０を有しているので、竿尻支持部材２の横軸部１０を腹に当てた状態で、釣竿１と竿尻支持部材２を略水平方向の軸線２０回りに上下に揺動させることができる。従って、竿尻支持部材２の横軸部１０を支点として釣竿１を上下にポンピングしつつリールのハンドルを巻いて魚を引き寄せることができる。
【００２８】
しかも、竿側係止部及び支持側係止部が横セレーション７，１３であるので、釣竿１の係止角度を変更する際に釣竿１の前後に移動させる距離が短くて済む。従って、釣竿１を前側に素早く移動させて横セレーション７，１３同士の係止状態を解除することができ、そして、釣竿１を後側に素早く移動させて再び横セレーション７，１３同士を係止状態に復帰させることができる。
【００２９】
尚、図５のように、従来の十字状の溝が形成されたギンバル３を係止するためにホルダー部１１の竿挿入孔１２に係合ピン３０を備えた竿尻支持部材２に、アタッチメント３１を装着することで、上記釣竿１を係止できるようにしてもよい。具体的には、アタッチメント３１は、全体として円柱状ないし円板状であって、ホルダー部１１の竿挿入孔１２に嵌入するようにその外径が設定されている。アタッチメント３１の下面には係合ピン３０が係合する係合溝３２が形成されており、係合溝３２が係合ピン３０に係合することで、アタッチメント３１の軸線回りの角度が決定される。アタッチメント３１の上面には上述したのと同様の横セレーション１３が形成されている。このようなアタッチメント３１も金属製や硬質樹脂製とされる。
【００３０】
また、横セレーションに代えて縦セレーションを採用してもよい。例えば、図６（ａ）のようにギンバル３の外周面に軸線方向に沿った凸条４０を６０度ピッチというように一定角度毎に形成し、図６（ｂ）のように竿尻支持部材２のホルダー部１１の内周面（竿挿入孔１２の壁面）には、凸条４０が係合する凹溝４１を軸線方向に沿って形成する。凹溝４１も一定角度毎に形成するが、凸条４０と同じピッチであってもよいし、凸条４０よりも短いピッチとしてもよい。この実施形態では、凹溝４１のピッチを凸条４０よりも短いものとしており、具体的には、３０度ピッチとしている。従って、凸条４０は６本形成され、凹溝４１は１２本形成されている。このように凹溝４１に対して凸条４０の本数を少なくする（約数とする）ことで、摺動抵抗が小さくなってスムーズにギンバル３を竿挿入孔１２に挿入できる。
【００３１】
例えば、図７（ａ）が両軸リールが真上を向く基準位置であり、図７（ｂ）が基準位置から３０度傾斜した傾斜位置である。丸で囲んでいるＡ部の凸条４０が両軸リールに対応した釣竿１の真上の位置にある凸条４０である。無論、図７（ｂ）とは反対側に３０度傾斜させることもできる。
【００３２】
また、縦セレーションの一つのバリエーションとして、ギンバル３の外周面と竿挿入孔１２の壁面を多角形として互いの角部同士が係合する構成としてもよい。この場合も摺動抵抗を小さくするために、ギンバル３を竿挿入孔１２よりも小さい数の多角形とすることが好ましい。この実施形態では、竿挿入孔１２を十二角形とし、ギンバル３を六角形としているが、ギンバル３を四角形や三角形としてもよい。図８が基準位置であって、丸で囲んだＡ部の凸条４０が両軸リールに対応した釣竿１の真上の位置にある凸条４０であり、図９（ａ）は基準位置から一方に３０傾斜した傾斜位置であり、図９（ｂ）は基準位置から他方に３０度傾斜した傾斜位置である。
【００３３】
尚、上記実施形態では、ホルダー部１１を筒状として説明したが、筒状でなくてもよく、竿挿入孔１２が形成されていればよい。
【００３４】
また、上記実施形態では、竿尻支持部材２として腹当てを例に説明したが、その他、例えば、上述したようなホルダー部１１あるいは竿挿入孔１２を備えたファイティングベルトであってもよいし、種々の竿尻支持部材２に適用可能である。
【００３５】
また更に、釣竿１の上側に位置する両軸リールを例に説明したが、釣竿１の下側に位置するスピニングリールであってもよい。
【００３６】
また、竿側係止部や支持側係止部もセレーションには限られず、各種の形状、構成であってもよく、釣竿１を全周に亘って角度調整できる構成でなくてもよい。基準位置から一方に回転させた第一の傾斜位置と他方に回転させた第二の傾斜位置に釣竿１を係止できる構成において、基準位置から第一の傾斜位置までの角度と基準位置から第二の傾斜位置までの角度とが互いに異なっていてもよい。基準位置と、第一及び第二の傾斜位置のうち一方のみに釣竿１を係止できる構成であってもよいし、基準位置には釣竿１を係止できないけれども、第一及び第二の傾斜位置には釣竿１を係止できる構成であってもよいし、第一及び第二の傾斜位置のうちの一方のみに釣竿１を係止できる構成であってもよい。
【符号の説明】
【００３７】
１    釣竿
２    竿尻支持部材
３    ギンバル
４    外装部材
５    ブランク
６    腹当て
７    横セレーション（竿側係止部）
８    軸線
１０    横軸部
１１    ホルダー部
１２    竿挿入孔
１３    横セレーション（支持側係止部）
２０    軸線
２１    軸線
３０    係合ピン
３１    アタッチメント
３２    係合溝
４０    凸条
４１    凹溝
【図１】
0006494203.tif 000002
【図２】
0006494203.tif 000003
【図３】
0006494203.tif 000004
【図４】
0006494203.tif 000005
【図５】
0006494203.tif 000006
【図６】
0006494203.tif 000007
【図７】
0006494203.tif 000008
【図８】
0006494203.tif 000009
【図９】
0006494203.tif 000010